(57)【特許請求の範囲】
【請求項１】
葉書の形態に折り込み、密着して発送されるメールフオームとして使用され、前記メールフォームを構成する基材シート両面の密着予定部にのみ感圧接着剤層が設けられ、かつ、ジグザグ状に折り込まれて保管される連続帳票形式のメールフォームに使用される感圧接着性シートにおいて、
前記感圧接着性シートの両サイドにはマージナルパンチホールの形成された非密着部となる余白部が設けられ、前記余白部に、ジグザグ状に折り込まれて保管される場合に前記感圧接着剤層との厚みの差を調整する感圧接着剤よりなる樹脂層を設けたことを特徴とする感圧接着性シート。
【発明の詳細な説明】
【０００１】
【産業上の利用分野】
本発明は、感圧接着性シートに関し、特に、基材シートの表裏に感圧接着剤層を部分的に設けた感圧接着性シートに関する。
【０００２】
【従来の技術】
近年、金融機関、官庁からの通知用として、情報を印字した後、葉書の形態に折り込み、密着して発送されるメールフオームが広く使用されている。そして、これらのメールフオームに使用する感圧接着性シートは、感圧接着剤を紙の両面に全面塗布して構成されていた。
【０００３】
【発明が解決しようとする課題】
従来の、感圧接着剤を全面に塗布したものにあっては、その接着剤層の上に印刷をする場合、印刷方法、印刷インキに制約があり、必ずしも高い品質の画像が得られなかった。また、非密着部に不要な接着剤があることは、材料の消費量も多く、コスト面にとって望ましいことではなかった。
【０００４】
感圧接着剤を、図１〜図３に示すように、密着部分にのみ塗布した場合、感圧接着剤の厚みと、塗布部分の収縮とによりシートが部分的に厚くなる。したがって、感圧接着性シートをジグザグ状に多数枚を折り込んで、連続帳票形式で保管する場合には、図８のように塗布部分を積み重ねられたところが凸状となり、全体としてはカールをもった感圧接着性シートとなる。
【０００５】
ジグザグ状に折り込み、カール状の紙くせをもった、連続する感圧接着性シートをプリンターに供給した場合、凸状部が一部反転して、凹凸が交互にあらわれることとなる。そのために、プリンターにおいて、感圧接着性シートの横ミシン目が破断する等の供給トラブルや、印字不良を発生するという問題があった。
【０００６】
本発明は、感圧接着剤を密着部分にのみに施し、塗布部分に生ずる厚みを、シート全体に均一化して、ジグザグ状に折り込んだ場合も、図７に示す従来の全面に感圧接着剤を塗布したシートのように、カール状の折りくせを生じない感圧接着性シートを提供することを目的としている。
【０００７】
【課題を解決するための手段】
上記の目的を達成するために、本発明の感圧接着性シートにおいては、葉書の形態に折り込み、密着して発送されるメールフオームとして使用され、前記メールフォームを構成する基材シート両面の密着予定部にのみ感圧接着剤層が設けられ、かつ、ジグザグ状に折り込まれて保管される連続帳票形式のメールフォームに使用される感圧接着性シートにおいて、前記感圧接着性シートの両サイドにはマージナルパンチホールの形成された非密着部となる余白部が設けられ、前記余白部に、ジグザグ状に折り込まれて保管される場合に感圧接着剤層との厚みの差を調整する感圧接着剤層よりなる樹脂層を設けたものである。
【０００８】
基材シートの余白部に設ける、感圧接着剤層、または、インキ層は『ダミー樹脂層』として、密着部との厚みの差を少なくするように調整の作用をするものである。
ダミー樹脂層は、マージナルパンチホールをはじめとする余白部の、表裏、あるいは、いずれかの面に形成する。そして、その巾は余白部内におさまる３〜１５ｍｍとし、また厚さは感圧接着剤層と同程度である０．５〜５μｍがカール防止のために好ましい。
また、その材料は、感圧接着性シートに使用するものと同一の感圧接着剤、同一溶媒をもつ塗布液、あるいは、印刷インキ等を用いる。
感圧接着剤や印刷インキをダミー層に用いる場合は、感圧接着剤の塗布工程あるいは、印刷工程において同時に施せる利点がある。また、同一溶媒をもつ塗布液をダミー層とする場合は、塗布液の樹脂、濃度を自由に選定できて、感圧接着剤層の厚みとの差を少なくするように調整できる利点がある。しかし、塗布液が異なるため、専用の塗布ユニットを設ける必要がある。
【０００９】
本発明の基材シートに用いられるものには、通常の上質紙、コート紙、合成紙、アルミ箔ラミネート紙の他プラスチックシートであるポリエチレンテレフタレート、ポリプロピレン、ポリカーボネート、セルローストリアセテート等からなる延伸、無延伸のシートがある。
プラスチックシートを使用する場合は、感圧接着剤、インキの接着を改善するコロナ放電処理、プライマーコートの処理を行うことが好ましい。
高品質の印刷は、印刷適性に優れるコート紙やアート紙を用いることによりえることができる。
また、基材シートの厚さは特に限定はしないが、３０〜１５０μｍがよく、ジグザグ状に折り込む場合の適性がよい範囲で選定する。
【００１０】
本発明の密着予定部における感圧接着剤の塗布は、上記の基材シートの両面に、図４〜図６に示すパターンのようにストライプコートを行う。一般情報の印刷は、感圧接着剤を塗布する前でも、後のいずれでもかまわない。
コーテイング方法は、フレキソコーター、グラビアコーター、ロールコーター、バーコーター等の一般的方法を採用できる。フレキソコーター、グラビアコーターによる、感圧接着剤層のストライプコートは、版を用いることができるため、塗布量、塗布巾とも精度よく形成できる。他のロールコーター、バーコーター等は、ロール面上の塗布液をドクターでかきとり、感圧接着剤層のストライプコートを施す。これらのかきとりによるストライプの塗布方法は、塗布量を多くできる長所はあるが、塗布巾の寸法精度が劣ることがある。感圧接着剤の塗布量は、乾燥後で０．１〜１０ｇ／ｍ２であり、好ましくは１．５〜３．５ｇ／ｍ２である。
【００１１】
本発明における一般情報の印刷は、活版、オフセット（平版）、グラビアの各版式の輪転フォーム印刷機で行うことができる。
輪転印刷機で、一般情報を印刷する場合における、感圧接着剤の塗布は、印刷の前でも、後のいずれでもできる。
枚葉印刷機で、一般情報を印刷する場合における、感圧接着剤の塗布は、印刷の前に巻き取りで施した後、枚葉に断裁した感圧接着性シートに印刷する。
【００１２】
【作用】
上記のように、基材シートの密着予定部に感圧接着剤層と、非密着部における余白部に部分的なダミー樹脂層とを設けた感圧接着性シートは、基材シートの密着部と非密着部の厚さを少なくするように働く。
そして、感圧接着性シートをジグザグ状に折り込んだ場合でも、厚さの差が累積されることによる凸状の変形を防ぐように働く。
【００１３】
【実施例】
実施例について図面を参照して説明すると、図４〜図６において、
▲１▼フォーム用上質紙１０（山陽国策パルプ（株）ＦＰＬＢ−Ｓ）に、フォーム印刷機で一般情報を印刷する。
▲２▼同印刷機で感圧接着剤層４１、４２および、ダミー樹脂層４３、４４を感圧接着剤と同一材料で設ける。
▲３▼同印刷物の両サイドにパンチホールを施し、ジグザク状に折り込み、本発明の感圧接着性シートを得た。
この感圧接着性シートは、図９に示すようにカールの発生もなく、ノンインパクトプリンターを用いて印字した結果、フィード適性に関する問題もなく、印字適性も良好であった。
【００１４】
【効果】
基材シートの余白部に設けられたダミー樹脂層は、密着予定部との厚みの差を少なくする調整作用をするので、以下に記載する効果を奏する。
▲１▼  密着予定部にのみ感圧接着剤を塗布するため、不要の部分に塗布されていた材料を省略できる。図４〜図６に示すように感圧接着剤の使用量を約１／３に削減できる。したがって、感圧接着剤のコストを下げることができる。
▲２▼  ダミー樹脂層は、厚み差が原因で発生する感圧接着性シートのカールを防止するので、プリンターにおける紙の供給不良、印字不良のトラブルを防止できる。
▲３▼  基材シートは、部分的に感圧接着剤を設けるので、表面状態が抄紙された状態のままで供給できる。したがって、印刷適性がすぐれた紙を基材シートとすれば、写真調を含む高品位の画像を得ることができる。
▲４▼  感圧接着剤が全面塗布の場合、宛て名欄の筆記性、スタンピング適性に対する塗布液の配慮が必要である。しかし、本願は、使用した紙の表面状態３１のままで印字できるので、筆記性、スタンピング適性に対する配慮が必要がない。したがって、性能、価格面より、感圧接着剤の選択巾は広くできる。
【図面の簡単な説明】
【図１】非密着部の感圧接着剤層を省略した感圧接着性シートの表面図である。
【図２】非密着部の感圧接着剤層を省略した感圧接着性シートの断面図である。
【図３】非密着部の感圧接着剤層を省略した感圧接着性シートの裏面図である。
【図４】非密着部の感圧接着剤層を省略し、余白部にダミー樹脂層を設けた、感圧接着性シートの表面図である。
【図５】非密着部の感圧接着剤層を省略し、余白部にダミー樹脂層を設けた、感圧接着剤シートの断面図である。
【図６】非密着部の感圧接着剤層を省略し、余白部にダミー樹脂層を設けた、感圧接着剤シートの裏面図である。
【図７】  (a)   全面に感圧接着剤を塗布した感圧接着性シートをジグザク状に折り曲げた場合の斜視図である。
(b) 図７(a) における７ｂ・７ｂの感圧接着性シートの線断面図である。
【図８】  (a) 部分的に感圧接着剤を塗布した感圧接着性シートをジグザク状に折り曲げた場合の斜視図である。
(b) 図８(a) における８ｂ・８ｂの感圧接着性シートの線断面図である。
【図９】  (a) 余白部にダミー樹脂層を設けた本願発明の感圧接着性シートをジグザク状に折り曲げた場合の斜視図である。
(b) 図９(a) における９ｂ・９ｂの感圧接着性シートの線断面図である。
【符号の説明】
１０  基材シート
２１  表面に全面塗布された感圧接着剤層
２２  裏面に全面塗布された感圧接着剤層
３１  表面における接着剤の非塗布部
３２  裏面における接着剤の非塗布部
４１  表面に部分塗布された感圧接着剤層
４２  裏面に部分塗布された感圧接着剤層
４３  表面の余白部に設けられたダミー樹脂層
４４  裏面の余白部に設けられたダミー樹脂層
５０  ジグザグ状に折り曲げた部分
【図１】
0003789491.tif 000002
【図２】
0003789491.tif 000003
【図３】
0003789491.tif 000004
【図４】
0003789491.tif 000005
【図５】
0003789491.tif 000006
【図６】
0003789491.tif 000007
【図７】
0003789491.tif 000008
【図８】
0003789491.tif 000009
【図９】
0003789491.tif 000010